(57)【要約】      （修正有）【課題】音発生・発光・振動とは異なる方法により、様々な使用環境において確実に使用者に情報受信を報知することのできる無線通信端末、その情報受信報知方法、及び情報受信報知器を提供すること。【解決手段】この携帯電話は、無線により情報の送受信が可能であり、情報の受信を報知する報知手段１２を有しており、その報知手段１２が、携帯電話の本体２外部に設けられた報知部材６と、情報受信時に報知部材６の形状を変化させる変形手段７とを有している。【選択図】        図２
2006333124.tif 000002
【特許請求の範囲】
【請求項１】
無線により情報の送受信が可能であり、前記情報の受信を報知する報知手段を有する無線通信端末であって、
前記報知手段が、前記無線通信端末の本体外部に設けられた報知部材と、
情報受信時に前記報知部材の形状を変化させる変形手段とを有することを特徴とする無線通信端末。
【請求項２】
前記報知部材を、複数の筒状部材又は複数の柱状部材によって構成し、前記報知部材が、前記変形手段により直線形状と非直線形状とに変形可能であることを特徴とする請求項１に記載の無線通信端末。
【請求項３】
前記報知部材を、複数の異なる径の筒状部材によって構成し、前記筒状部材を互いに収納可能に連続的に配置し、前記筒状部材が前記変形手段により伸縮可能であることを特徴とする請求項１に記載の無線通信端末。
【請求項４】
前記報知部材を、一端が前記本体に取り付けられたチューブ状部材と、前記チューブ状部材の他端側の内部に設けた放射部材によって構成し、前記変形手段により前記放射部材を前記チューブ状部材から突出させることを特徴とする請求項１に記載の無線通信端末。
【請求項５】
前記変形手段として、前記報知部材内部に挿通された貫通部材と、前記貫通部材を巻き取るモータ、ソレノイド、又はゼンマイを有することを特徴とする請求項１に記載の無線通信端末。
【請求項６】
無線により情報の送受信が可能な無線通信端末が前記情報を受信したときに受信を報知する無線通信端末の情報受信報知方法であって、
前記無線通信端末の本体外部に設けられた報知部材の形状を変化させることにより前記情報の受信を報知することを特徴とする無線通信端末の情報受信報知方法。
【請求項７】
前記情報を受信してから所定時間経過後に前記報知部材の形状を元の形状に復帰させることを特徴とする請求項６に記載の無線通信端末の情報受信報知方法。
【請求項８】
無線により情報の送受信が可能な無線通信端末が前記情報を受信したときに前記無線通信端末による前記情報の受信を報知する情報受信報知器であって、
前記無線通信端末に取り付けるための取付部と、
前記情報受信報知器の本体外部に設けられた報知部材と、
前記情報の受信時に前記報知部材の形状を変化させる変形手段とを有することを特徴とする情報受信報知器。
【発明の詳細な説明】
【技術分野】
【０００１】
本発明は、無線通信端末、その情報受信報知方法、及び情報受信報知器に関わり、特に、電話を着信したりメールを受信したときに、それらの着信や受信を使用者に報知する手段を備えた携帯電話端末、その報知方法、及びその報知手段を有する報知器に関する。
【背景技術】
【０００２】
近年、無線通信を行うための無線通信端末が普及している。特に、電話機としての機能を備えた携帯電話端末は、場所・時間を選ばず手軽に発着信が可能な便利さに加え、端末の高機能化、低価格化、通話エリアの広範囲化によりその普及の勢いは著しい。特に近年の携帯電話端末においては、電子メール等の各種情報の送受信機能を備えたものが主流となってきている。ここで、端末とは端末機器を意味する。
携帯電話端末は、電話を着信したりメール等の文字メッセージを受信（以下、電話の着信やメール等の情報の受信を総称して情報受信という。）したりした場合に、使用者にその情報受信を報知する報知手段を有している。従来の報知手段として、例えばアラーム音やメロディ音の音発生によって使用者の聴覚を刺激して情報受信を報知するもの、携帯電話の液晶表示部やその他の発光部を発光させることにより光や色の変化によって使用者の視覚を刺激して情報受信を報知するもの、バイブレータ等を用いて振動により使用者の触覚を刺激して情報受信を報知するものが提案されている（例えば特許文献１，２を参照）。また、携帯電話端末自体と別体とされた報知機器が報知手段を有し、振動等により使用者に情報受信を報知するものも提案されている（例えば特許文献３を参照）。
【特許文献１】特開２０００−１０１６８５号公報
【特許文献２】特開２００４−８０３９０号公報
【特許文献３】特開平１０−７９９８０号公報
【発明の開示】
【発明が解決しようとする課題】
【０００３】
しかしながら、上記報知手段は、携帯電話端末の使用環境によっては充分な報知機能を果たせない場合がある。例えば、周囲の騒音が大きい場合は、音発生による報知が行われても使用者は情報受信に殆ど気づかない。携帯電話を衣服のポケットに入れている場合は、発光による報知が行われても使用者は情報受信に殆ど気づかない。その衣服が厚手のものの場合は、振動による報知が行われても使用者は情報受信に殆ど気づかない。また、携帯電話端末をカバン等の中に入れている場合は、音発生・発光・振動のいずれの報知によっても使用者は情報受信に殆ど気づかない。
一方、携帯電話端末と別体とされた報知機器を使用すれば、携帯電話端末自体が離れた場所にあってもその報知機器を身に付けることで使用者は情報受信に気付くことができる。しかし、報知機器は構造が複雑でコストがかかる上に、使用者が別途報知機器を持ち歩かなければならないので面倒であるという問題がある。
【０００４】
本発明は、音発生・発光・振動とは異なる方法により、様々な使用環境において確実に使用者に情報受信を報知することのできる無線通信端末、その情報受信報知方法、及び情報受信報知器を提供することを目的とする。
【課題を解決するための手段】
【０００５】
請求項１記載の本発明の無線通信端末は、無線により情報の送受信が可能であり、前記情報の受信を報知する報知手段を有する無線通信端末であって、前記報知手段が、前記無線通信端末の本体外部に設けられた報知部材と、情報受信時に前記報知部材の形状を変化させる変形手段とを有することを特徴とする。
請求項２記載の本発明は、請求項１に記載の無線通信端末において、前記報知部材を、複数の筒状部材又は複数の柱状部材によって構成し、前記報知部材が、前記変形手段により直線形状と非直線形状とに変形可能であることを特徴とする。
請求項３記載の本発明は、請求項１に記載の無線通信端末において、前記報知部材を、複数の異なる径の筒状部材によって構成し、前記筒状部材を互いに収納可能に連続的に配置し、前記筒状部材が前記変形手段により伸縮可能であることを特徴とする。
請求項４記載の本発明は、請求項１に記載の無線通信端末において、前記報知部材を、一端が前記本体に取り付けられたチューブ状部材と、前記チューブ状部材の他端側の内部に設けた放射部材によって構成し、前記変形手段により前記放射部材を前記チューブ状部材から突出させることを特徴とする。
請求項５記載の本発明は、請求項１に記載の無線通信端末において、前記変形手段として、前記報知部材内部に挿通された貫通部材と、前記貫通部材を巻き取るモータ、ソレノイド、又はゼンマイを有することを特徴とする。
請求項６記載の本発明の無線通信端末の情報受信報知方法は、無線により情報の送受信が可能な無線通信端末が前記情報を受信したときに受信を報知する無線通信端末の情報受信報知方法であって、前記無線通信端末の本体外部に設けられた報知部材の形状を変化させることにより前記情報の受信を報知することを特徴とする。
請求項７記載の本発明は、請求項６に記載の無線通信端末の情報受信報知方法において、前記情報を受信してから所定時間経過後に前記報知部材の形状を元の形状に復帰させることを特徴とする。
請求項８記載の本発明の情報受信報知器は、無線により情報の送受信が可能な無線通信端末が前記情報を受信したときに前記無線通信端末による前記情報の受信を報知する情報受信報知器であって、前記無線通信端末に取り付けるための取付部と、前記情報受信報知器の本体外部に設けられた報知部材と、前記情報の受信時に前記報知部材の形状を変化させる変形手段とを有することを特徴とする。
【発明の効果】
【０００６】
本発明によれば、変形部材の変形によって無線通信端末の使用者に情報の受信を報知するので、使用者の視覚と触覚との両方を刺激することにより様々な使用環境下で確実に情報の受信を報知することができる。
【発明を実施するための最良の形態】
【０００７】
本発明の第１の実施の形態による無線通信端末は、報知手段が、無線通信端末の本体外部に設けられた報知部材と、情報受信時に報知部材の形状を変化させる変形手段とを有するものである。ここで、無線通信端末は例えば携帯電話端末等の無線通信端末機器を意味する。また、情報の受信は、電話の着信と電子メール等の文字メッセージの受信とを含む。本実施の形態によれば、無線通信端末の本体外部に報知部材が設けられ、その報知部材が情報の受信によって変形するので、使用者の視覚と触覚との両方を刺激して情報の受信を報知することができる。したがって、無線通信端末を使用する環境が騒音環境であっても、また、厚手の衣服のポケットに無線通信端末を入れている場合であっても、確実に使用者に情報の受信を報知することができる。報知のための機器を別途持ち歩く必要がないため余分なコストが必要なく、使用者が面倒を感じることもない。
本発明の第２の実施の形態は、第１の実施の形態による無線通信端末において、報知部材を、複数の筒状部材又は複数の柱状部材によって構成し、報知部材が、変形手段により直線形状と非直線形状とに変形可能なものである。本実施の形態によれば、情報の受信のない通常状態で報知部材が非直線形状となるように構成することにより、無線通信端末の携帯性を損なうことがない。一方、情報の受信の際に報知部材が直線形状となるように構成することにより、使用者がひと目で情報の受信を認識でき、無線通信端末の報知効果を向上させることができる。
本発明の第３の実施の形態は、第１の実施の形態による無線通信端末において、報知部材を、複数の異なる径の筒状部材によって構成し、筒状部材を互いに収納可能に連続的に配置し、筒状部材が変形手段により伸縮可能なものである。本実施の形態によれば、例えばラジオのロッドアンテナのように伸縮可能に構成し、情報の受信のない通常状態で報知部材が縮小状態となるように構成することにより、無線通信端末の携帯性を損なうことがない。一方、情報の受信の際に報知部材が伸張状態となるように構成することにより、使用者がひと目で情報の受信を認識することができるので、無線通信端末の報知効果が向上する。
本発明の第４の実施の形態は、第１の実施の形態による無線通信端末において、報知部材を、一端が本体に取り付けられたチューブ状部材と、チューブ状部材の他端側の内部に設けた放射部材によって構成し、変形手段により放射部材をチューブ状部材から突出させるものである。本実施の形態によれば、例えば、携帯電話端末をカバンの中に入れておいた場合であっても、情報の受信により放射角度が変化する放射部材をカバンの外に出しておくことにより、使用者が確実に情報の受信を認識することができるので、無線通信端末の報知効果が向上する。
本発明の第５の実施の形態は、第１の実施の形態による無線通信端末において、変形手段として、報知部材内部に挿通された貫通部材と、貫通部材を巻き取るモータ、ソレノイド、又はゼンマイを有するものである。本実施の形態によれば、報知部材内部を貫通する貫通部材の伸縮により、簡単な構造で報知部材の様々な変形に対応することができる。したがって、報知部材の変形を簡単かつ低コストに行わせることができる。またモータを用いることにより、報知部材の変形動作や変形からの復帰動作を自動的に行わせることができる。ソレノイドを用いることにより、より簡単な構造でかつ省電力に報知部材の変形動作や変形からの復帰動作を自動的にしかも迅速に行わせることができる。ゼンマイを用いることにより、さらに簡単な構造として軽量化することができ、報知部材の変形動作を殆ど電力を消費せずに行わせることができる。
本発明の第６の実施の形態による無線通信端末の情報受信報知方法は、無線通信端末の本体外部に設けられた報知部材の形状を変化させることにより情報の受信を報知するものである。本実施の形態によれば、使用者の視覚と触覚との両方を刺激して情報の受信を報知することができる。したがって、無線通信端末を使用する環境が騒音環境であっても、また、厚手の衣服のポケットに無線通信端末を入れている場合であっても、確実に使用者に情報の受信を報知することができる。報知のための機器を別途持ち歩く必要がないために余分なコストが必要なく、使用者が面倒を感じることもない。
本発明の第７の実施の形態は、第６の実施の形態による無線通信端末の情報受信報知方法において、情報を受信してから所定時間経過後に報知部材の形状を元の形状に復帰させるものである。本実施の形態によれば、使用者がわざわざ報知部材の形状を元の状態に復帰させなくても自動的に復帰し、次の情報受信に備えるので、便利である。
本発明の第８の実施の形態による情報受信報知器は、無線通信端末に取り付けるための取付部と、情報受信報知器の本体外部に設けられた報知部材と、情報の受信時に報知部材の形状を変化させる変形手段とを有するものである。本実施の形態によれば、情報受信報知器が無線通信端末の本体外部に取り付け可能となっており、その報知部材が情報の受信によって変形するので、使用者の視覚と触覚とを同時に刺激して情報の受信を報知することができる。したがって、無線通信端末を使用する環境が騒音環境であっても、また、厚手の衣服のポケットに無線通信端末を入れている場合であっても、さらに報知のための機器を別途持ち歩かなくとも、確実に使用者に情報の受信を報知することができる。
【実施例１】
【０００８】
以下、本発明の一実施例について図面を用いて説明する。
図１は、本発明の実施例１に係る無線通信端末の概略構成を示す外観斜視図、図２は同無線通信端末の要部構成図、図３は同無線通信端末の動作時の外観斜視図、図４は同無線通信端末の動作を示すフローチャートである。
無線通信端末としての携帯電話端末（以下、携帯電話という。）１は、本体２にアンテナ４と報知部材６とが設けられている。
本体２は、この携帯電話１の主要部品を内蔵し、かつ使用者が把持するための筐体を構成するもので、前面２ａに表示部８、操作ボタン部１０が配置されている。表示部８は、例えば液晶表示部材（ＬＣＤ）により構成され、時刻、電話番号、文字メッセージ、デジタル写真画像等の文字や画像が表示可能になっている。操作ボタン部１０は、使用者が電話をかけたり文字メッセージを入力するためのもので、通常０〜９までの数字ボタン、“＃”ボタン、“＊”ボタン、電源ボタン、通話ボタンに加え、各種の機能ボタンが配列されている。
本体２内部には、図示しないマイクやスピーカの他に各種電子部品を搭載した電子基板が収容されている。また、本体２内部には報知部材６とともに報知手段１２を構成する変形手段７（図２参照）も収容されている。アンテナ４は、無線通信を行う際にその無線電波を送受信するためのものである。
【０００９】
報知部材６は、上述の変形手段７とともに報知手段１２を構成する。報知手段１２は、この携帯電話１に音声情報としての電話がかかってきた場合（着信）や電子メール等の文字メッセージ情報を受信した場合に、それらの情報の受信を、視覚的及び触覚的に使用者を刺激することにより報知するものである。使用者は、報知手段１２による報知によって、騒音環境下であっても携帯電話１が衣服のポケットやカバンの中にあっても、電話の着信や文字メッセージの受信等を即座に認識できるようになっている。
報知部材６は、図１に示すように複数の筒状部材６ａが直列に連続配置されている。貫通部材としてのワイヤ１４が複数の筒状部材６ａを貫通し、その先端が報知部材６の先端部６ｂに固定されている。ワイヤ１４の基端部分は図２に示すように本体２内部のモータ軸７ａに係止され、モータ７ｄの回転により巻き上げ可能となっている。
【００１０】
図２に示すように、本体２内部には変形手段７を構成する受信検知部７ｂ、制御部７ｃ、モータ７ｄ、タイマ７ｅが収容されている。
受信検知部７ｂは、この携帯電話１への情報の受信を検知するもので、情報受信時に、制御部７ｃに対して検知信号を送出する。情報受信の際に受信検知部７ｂは図示しない第２制御部にも検知信号を送出する。そして、第２制御部は検知信号を受信した場合には、表示部８を発光させるとともに着信音を鳴らす。
制御部７ｃは、モータ７ｄの回転を制御するものである。モータ７ｄは、モータ軸７ａに係止されたワイヤ１４を巻き上げたり緩めたりすることにより、筒状部材６ａ内のワイヤを伸縮させる。受信検知部７ｂからの検知信号を受け取ると、制御部７ｃがモータをワイヤ１４の巻き上げ方向（図２中矢印Ａ方向）に回転させ、ワイヤ１４を緊張させる。それにより報知部材６が変形し、各筒状部材６ａが直線状に整列するようになっている（図３参照）。なお、図１はモータ７ｄがワイヤ弛緩方向（図２中矢印Ｂ方向）に回転してワイヤ１４が緩んでいる状態（すなわち、情報受信していない状態）を示している。
モータ７ｄとしては、既知の種々のモータ（例えばパルスモータやブラシモータ等）が使用可能である。また、ワイヤ１４の巻き上げを効率的に行うために、モータ軸７ａにプーリを取り付けてプーリによりワイヤ１４の巻き上げを行うこともできる。
タイマ７ｅは、情報受信から所定時間経過後に報知部材の変形を復帰させるものである。受信検知部７ｂからの検知信号が制御部７ｃに入力されると、タイマ７ｅがタイマカウントを開始し、予め設定した所定時間ｔ１になると制御部７ｃにタイムアップ信号を送出する。タイムアップ信号を受け取ると、制御部７ｃはモータ７ｄをワイヤ弛緩方向Ｂに回転させ、報知部材６の変形を復帰させる。
【００１１】
次に、この携帯電話１が電話を着信した場合の報知手順について、図４のフローチャートを用いて説明する。
携帯電話１の電源をオンにすると、タイマ７ｅのタイマカウント値ｔ＝０がセットされ（ステップ１）。携帯電話１は着信等の情報受信の待ち受け状態となり、受信検知部７ｂが情報受信を監視する（ステップ２）。なお、この状態ではワイヤ１４は弛緩状態（伸びた状態）であり、報知部材６は非直線形状となっている。
他の電話機から携帯電話１に電話がかかってくると（すなわち、携帯電話１が着信すると）、タイマ７ｅがタイマカウントを開始する（ステップ３）。それとともに、受信検知部７ｂから検知信号を受け取った制御部７ｃがモータ７ｄをワイヤ巻き上げ方向Ａに回転させる（ステップ４）。ワイヤ１４がモータ軸７ａに巻き上げられて緊張状態（縮んだ状態）となり、報知部材６は直線状に変形する。報知部材６が変形するので、使用者はその変形を視覚的にも触覚的にも認識でき、容易に情報受信を知ることができる。さらにこのとき、携帯電話１の表示部８も発光して着信音も鳴るので、使用者は聴覚的にも情報受信を知ることができる。
使用者が操作ボタン部１０の通話ボタンを押して電話に出る（ステップ５）と、制御部７ｃはモータ７ｄをワイヤ弛緩方向Ｂに回転させる（ステップ６）。それにより、報知部材６が元の非直線形状に復帰する。そして、再びタイマ７ｅのタイマカウント値ｔ＝０がセットされる（ステップ１）。
一方、使用者が電話に出られない等の事情で通話ボタンを押さない場合（ステップ5）には、タイマ７ｅがタイマカウントを継続する。そして、タイマカウント値ｔが所定時間ｔ１となる（ステップ7）と、タイマ７ｅからタイムアップ信号を受け取った制御部７ｃがモータ７ｄをワイヤ弛緩方向Ｂに回転させる（ステップ6）。それにより、報知部材６が元の非直線形状に復帰する。そして、再びタイマ７ｅのタイマカウント値ｔ＝０がセットされる（ステップ１）。
なお、上記説明においては、通話ボタンを押して電話に出ると報知部材６が非直線形状に復帰するが、通話終了時に通話終了ボタンを押すと報知部材６が非直線形状に復帰してもよい。
【実施例２】
【００１２】
図５は、本発明の実施例２に係る情報受信報知器としての携帯電話アクセサリー２０の要部概略構成を示す内部構成図である。この携帯電話アクセサリー２０は、携帯電話１の情報受信を使用者に報知する報知機能を有しており、携帯電話アクセサリー本体２２、報知部材６、取付部２６を有して構成されている。
携帯電話アクセサリー本体２２内部には変形手段７を構成する受信検知部７ｂ、制御部７ｃ、モータ７ｄ、タイマ７ｅに、さらに電源７ｆが収容されている。モータ７ｄのモータ軸７ａに係止されたワイヤ１４は携帯電話アクセサリー本体２２外部に設けられた報知部材６を貫通している。その他、この実施例２において実施例１と同一の符号を付したものは、実施例１における構成と同様の機能を発揮するものであるので説明を省略する。
電源７ｆは、この携帯電話アクセサリー２０が携帯電話１の本体２と別体とされているため、受信検知部７ｂ、制御部７ｃ、モータ７ｄ、タイマ７ｅを駆動するために必要となるものである。取付部２６によって、この携帯電話アクセサリー２０は携帯電話１の本体２に対して着脱可能に取り付けられるようになっている。
このように、変形手段７と報知部材６とを有する報知器（携帯電話アクセサリー２０）を携帯電話１の本体２と別体とすることにより、変形により確実に情報受信を報知する報知機器を使用者の好みに応じて携帯電話１の本体２に取り付け取り外しできる。また、携帯電話１を買い換えた場合でも、この携帯電話アクセサリー２０を新たな携帯電話に取り付けて継続使用できる。
【実施例３】
【００１３】
実施例１は、変形手段７として制御部７ｃとモータ７ｄとを用い、制御部７ｃがモータ７ｄを回転駆動することによりワイヤ１４を伸縮させて報知部材６の変形・復帰を行うが、本実施例３においては、図６に示すように変形手段９が受信検知部７ｂ、ラッチ制御部９ａ、ゼンマイ部９ｂ、タイマ７ｅにより構成されている。
ラッチ制御部９ａは、ゼンマイ部の係止歯車９ｃと係止するラッチ９ｄを係合・解除させるものである。受信検知部７ｂからの検知信号を受け取ると、ラッチ９ｄと係止歯車９ｃとの係合を解除し、通話ボタンが押されるかタイマカウント値がｔ＝ｔ１になると、ラッチ９ｄと係止歯車９ｃとを係合させる。なお、ラッチ９ｄは、係止歯車９ｃと係合している状態でも、係止歯車９ｃのワイヤ弛緩方向（図６中矢印Ｂ方向）への回転を許容するようになっている。
ゼンマイ部９ｂは、巻き上げ軸９ｅ、図示しないゼンマイ、係止歯車９ｃを有している。巻き上げ軸９ｅにはワイヤ１４の一端が係止され、ゼンマイが常にワイヤ１４を巻き上げる方向（図６中矢印Ａ方向）に巻き上げ軸９ｅを付勢している。
待ち受け状態では、ラッチ９ｄは係止歯車９ｃと係合している。使用者が筒状部材６ａを手で引っ張ると、巻き上げ軸９ｅはワイヤ弛緩方向Ｂに回転し、ワイヤ１４が伸びて報知部材６が非直線形状となる。受信検知部７ｂが着信を検知すると、ラッチ９ｄと係止歯車９ｃとの係合が解除され、ゼンマイによってワイヤ１４が巻き上げられてワイヤ１４が縮み、報知部材６が直線形状へと変形する。
使用者が通話ボタンを押すか、着信時にカウント開始したタイマカウント値が所定時間ｔ１になると、ラッチ９ｄが再び係止歯車９ｃと係合状態となる。この状態で使用者が再び筒状部材６ａを引っ張ると、巻き上げ軸９ｅのワイヤ弛緩方向Ｂへの回転は許容されるが、ワイヤ巻き上げ方向Ａへの回転はラッチ９ｄにより禁止され、報知部材６が再び非直線形状へと復帰する。
本実施例では、ワイヤ１４の伸縮にゼンマイを用いているので、構造が非常に簡単となる。さらに、殆ど電力を必要としないので、省電力とすることができる。
【実施例４】
【００１４】
図７は、本発明の実施例４に係る情報受信報知器の要部概略構成を示す内部構成図である。情報受信報知器としての携帯電話アクセサリー３０は、携帯電話１の情報受信を使用者に報知する報知機能を有しており、携帯電話アクセサリー本体３２、報知部材６、取付部３６を有して構成されている。
携帯電話アクセサリー本体３２内部には変形手段９を構成する受信検知部７ｂ、ラッチ制御部９ａ、ゼンマイ部９ｂ、タイマ７ｅに、さらに電源７ｆが収容されている。ゼンマイ部９ｂの巻き上げ軸に係止されたワイヤ１４は携帯電話アクセサリー本体３２外部に設けられた報知部材６を貫通している。
電源７ｆは、この携帯電話アクセサリー３０が携帯電話１の本体２と別体とされているため、受信検知部７ｂ、ラッチ制御部９ａ、タイマ７ｅを駆動するために必要となるものである。取付部３６によって、この携帯電話アクセサリー３０は携帯電話１の本体２に対して着脱可能に取り付けられるようになっている。
このように、変形手段９と報知部材６とを有する報知機器（携帯電話アクセサリー３０）を携帯電話１の本体２と別体とすることにより、変形により確実に情報受信を報知する報知機器を使用者の好みに応じて携帯電話１の本体２に取り付け取り外しできる。また、携帯電話１を買い換えた場合でも、この携帯電話アクセサリー３０を新たな携帯電話に取り付けて継続使用できる。
また、本実施例では、ワイヤ１４の巻き上げにゼンマイを用いているので、構造が非常に簡単となる。さらに、殆ど電力を必要としないので、省電力とすることができる。
【実施例５】
【００１５】
図８は、本発明の実施例５に係る無線通信端末の概略構成を示す外観斜視図である。無線通信端末としての携帯電話４０の本体２、アンテナ４、表示部８、操作ボタン部１０については実施例１と同様の構成であるので同一の符号を付して説明を省略する。
この携帯電話４０は報知部材４６を有している。報知部材４６は図に示すように、複数の異なる径の筒状部材４６ａ〜４６ｅが隣接する筒状部材を収納可能に連続配置されている。すなわち、筒状部材４６ａが筒状部材４６ｂを収納可能とされ、筒状部材４６ｂが筒状部材４６ｃを収納可能とされ、この報知部材４６はラジオのロッドアンテナのように伸縮可能になっている。
図９は、携帯電話４０の本体２の内部に収容された変形手段７の概略構成を示すブロック図である。この変形手段７は、実施例１と同様に受信検知部７ｂ、制御部７ｃ、モータ７ｄ、タイマ７ｅを有し、報知部材４６とともに報知手段４８を構成する。モータ７ｄのモータ軸７ａに係止されたワイヤ１４は、報知部材４６の各筒状部材４６ａ〜４６ｅ内部を貫通してその先端が報知部材の先端部４６ｆに固定されている。
この実施例４に係る報知手段４８においては、待ち受け状態のときはワイヤ１４が巻き上げられ（すなわちモータ軸７ａが図１０中矢印Ａ方向に回転し）、図１０に示すように報知部材４６が短く縮められている。一方、情報受信の際は、ワイヤ１４が緩められ（すなわちモータ軸７ａが図９中矢印Ｂ方向に回転し）、図９に示すように報知部材４６が長く伸ばされる。使用者により通話ボタンが押されるかタイムカウント値ｔ＝ｔ１になると、再びワイヤ１４が巻き上げられ（すなわちモータ軸７ａが図９中矢印Ａ方向に回転し）、報知部材４６が元の短い形状に復帰する。このように報知部材４６の伸縮変形によって情報の受信を報知するので、使用者は容易にかつ確実に情報受信を認識できる。また、待ち受け状態においては報知部材４６は短く縮められているので、持ち運びの邪魔にならない。
【実施例６】
【００１６】
実施例５においては、変形手段７に制御部７ｃとモータ７ｄとを用い、制御部７ｃがモータ７ｄを回転駆動することによりワイヤ１４を伸縮させて報知部材４６の変形・復帰を行うが、本実施例６においては、図１１に示すように変形手段９が受信検知部７ｂ、ラッチ制御部９ａ、ゼンマイ部９ｂ、タイマ７ｅで構成されている。
ラッチ制御部９ａは、ゼンマイ部の係止歯車９ｃと係止するラッチ９ｄを係合・解除させるものである。受信検知部７ｂからの検知信号を受け取ると、ラッチ９ｄと係止歯車９ｃとの係合を解除し、通話ボタンが押されるかタイマカウント値がｔ＝ｔ１になると、ラッチ９ｄと係止歯車９ｃとを係合させる。なお、ラッチ９ｄは、係止歯車９ｃと係合している状態でも、係止歯車９ｃのワイヤ巻き上げ方向（図１１中矢印Ａ方向）への回転を許容するようになっている。
ゼンマイ部９ｂは、巻き上げ軸９ｅ、ゼンマイ９ｆ、係止歯車９ｃを有している。巻き上げ軸９ｅにはワイヤ１４の一端が係止され、ゼンマイ９ｆが常にワイヤ１４を弛緩させる方向（図１１中矢印Ｂ方向）に巻き上げ軸９ｅを付勢している。
待ち受け状態では、ラッチ９ｄは係止歯車９ｃと係合している。使用者が筒状部材４６ｅを手で携帯電話４０の本体２側に押し込むと巻き上げ軸９ｅはワイヤ巻き上げ方向Ａに回転し、ワイヤ１４が縮んで報知部材４６が短くなる。受信検知部７ｂが着信を検知すると、ラッチ９ｄと係止歯車９ｃとの係合が解除され、ゼンマイによってワイヤ１４が弛緩されてワイヤ１４が伸び、報知部材４６が長く伸びた形状へと変形する。
使用者が通話ボタンを押すか、着信時にカウント開始したタイマカウント値が所定時間ｔ１となったら、ラッチ９ｄが再び係止歯車９ｃと係合状態となる。この状態で使用者が再び筒状部材４６ｅを押し込むと、巻き上げ軸９ｅのワイヤ巻き上げ方向Ａへの回転は許容されるが、ワイヤ弛緩方向Ｂへの回転はラッチ９ｄにより禁止され、報知部材４６が再び短い形状へと復帰する。
ワイヤ１４の伸縮にゼンマイを用いているので、構造が非常に簡単となる。さらに、殆ど電力を必要としないので、省電力とすることができる。
なお、実施例５，６においては、報知部材４６及び変形手段9を携帯電話４０の本体２に設けているが、実施例2，４の場合と同様に、報知部材４６及び変形手段9を携帯電話４０の本体２と別体として情報受信報知機能を有する機器（携帯電話アクセサリー）として構成してももちろんよい。
【実施例７】
【００１７】
図１２は、本発明の実施例７に係る無線通信端末の概略構成を示す外観斜視図である。無線通信端末としての携帯電話５０の本体２、アンテナ４、表示部８、操作ボタン部１０については実施例１と同様の構成であるので同一の符号を付して説明を省略する。
この携帯電話５０は報知部材５６を有している。報知部材５６は図に示すように、一端５７ａが携帯電話５０の本体２に取り付けられたチューブ状部材５７の他端５７ｂ側から放射部材５８が放射状に広がっている。
チューブ状部材５７の内部をワイヤ１４が貫通し、その先端部が放射部材５８の放射中心部５８ａに固定されている。ワイヤ１４を伸縮させることにより、放射部材５８の放射角度を変化させるように開閉可能となっている（図１４参照）。
図１３は、携帯電話５０の本体２の内部に収容された変形手段７の概略構成を示すブロック図である。この変形手段７は、実施例１と同様に、受信検知部７ｂ、制御部７ｃ、モータ７ｄ、タイマ７ｅを有し、報知部材５６とともに報知手段５９を構成する。先端部が放射部材５８に固定されたワイヤ１４の基端部はモータ７ｄのモータ軸７ａに係止されている。
この実施例７に係る報知手段５９においては、待ち受け状態のときはワイヤ１４が巻き上げられ（すなわちモータ軸７ａが図１４中矢印Ａ方向に回転し）、図１４に示すように放射部材５８が閉じている。一方、情報受信の際は、ワイヤ１４が緩められ（すなわちモータ軸７ａが図１３中矢印Ｂ方向に回転し）、図１３に示すように放射部材５８が開く。使用者により通話ボタンが押されるかタイムカウント値ｔ＝ｔ１になると、再びワイヤ１４が巻き上げられ（すなわちモータ軸７ａが図１４中矢印Ａ方向に回転し）、放射部材５８が閉じた形状に復帰する。このように放射部材５８の開閉変形によって情報の受信を報知するので、使用者は容易にかつ確実に情報受信を認識することができる。例えば、携帯電話５０をカバンの中に入れた状態であっても、この放射部材５８をカバンから外に出すようにしていれば、着信等があった場合に使用者がすぐに気付くことができる。
以上、本発明の好ましい実施例を説明したが、報知手段は携帯電話端末に一体の構成で実施してもよいし、携帯電話端末とは別体の構成で実施してもよく、本発明はこれらに限定されるものではなく、その要旨の範囲内で様々な変形や変更が可能である。
【産業上の利用可能性】
【００１８】
本発明は、携帯電話などの無線通信端末の他に、受信機能を備えて作動する各種装置にも適用できる。
【図面の簡単な説明】
【００１９】
【図１】本発明の実施例１に係る無線通信端末の概略構成を示す外観斜視図
【図２】同無線通信端末の要部構成図
【図３】同無線通信端末の動作時の外観斜視図
【図４】同無線通信端末の動作を示すフローチャート
【図５】本発明の実施例２に係る情報受信報知器としての携帯電話アクセサリーの要部概略構成を示す内部構成図
【図６】本発明の実施例３に係る携帯電話の本体内部に収容された変形手段の概略構成を示すブロック図
【図７】本発明の実施例４に係る情報受信報知器の要部概略構成を示す内部構成図
【図８】本発明の実施例５に係る無線通信端末の概略構成を示す外観斜視図
【図９】図８に示す携帯電話本体内部に収容された変形手段の概略構成を示すブロック図であって、情報受信した状態を示す図
【図１０】図８に示す携帯電話本体内部に収容された変形手段の概略構成を示すブロック図であって、待ち受け状態を示す図
【図１１】本発明の実施例６に係る携帯電話の本体内部に収容された変形手段の概略構成を示すブロック図
【図１２】本発明の実施例７に係る無線通信端末の概略構成を示す外観斜視図
【図１３】図１２に示す携帯電話本体内部に収容された変形手段の概略構成を示すブロック図であって、情報受信した状態を示す図
【図１４】図１２に示す携帯電話本体内部に収容された変形手段の概略構成を示すブロック図であって、待ち受け状態を示す図
【符号の説明】
【００２０】
１，４０，５０  携帯電話端末（無線通信端末）
２    携帯電話本体
２ａ  前面
４    アンテナ
６，４６，５６  報知部材
６ａ  筒状部材
６ｂ  先端部
７，９  変形手段
７ａ  モータ軸
７ｂ  受信検知部
７ｃ  制御部
７ｄ  モータ
７ｅ  タイマ
７ｆ  電源
８    表示部
９ａ  ラッチ制御部
９ｂ  ゼンマイ部
９ｃ  係止歯車
９ｄ  ラッチ
９ｅ  巻き上げ軸
９ｆ  ゼンマイ
１０  操作ボタン部
１２，４８，５９  報知手段
１４  ワイヤ（貫通部材）
２０，３０  携帯電話アクセサリー（情報受信報知器）
２２，３２  携帯電話アクセサリー本体
２６，３６  取付部
４６ａ〜４６ｅ  筒状部材
４６ｆ  報知部材の先端部
５７  チューブ状部材
５７ａ，５７ｂ  チューブ状部材端
５８  放射部材
５８ａ  放射中心部
Ａ  ワイヤ巻き上げ方向
Ｂ  ワイヤ弛緩方向
【図１】
2006333124.tif 000003
【図２】
2006333124.tif 000004
【図３】
2006333124.tif 000005
【図４】
2006333124.tif 000006
【図５】
2006333124.tif 000007
【図６】
2006333124.tif 000008
【図７】
2006333124.tif 000009
【図８】
2006333124.tif 000010
【図９】
2006333124.tif 000011
【図１０】
2006333124.tif 000012
【図１１】
2006333124.tif 000013
【図１２】
2006333124.tif 000014
【図１３】
2006333124.tif 000015
【図１４】
2006333124.tif 000016